(57)【特許請求の範囲】
【請求項１】
第１の部材と第２の部材との間に相対的な移動を生じさせるための位置決め装置であって、
支点部材の周りに枢動可能に前記第１の部材に結合され、かつ作動アームおよび位置決めアームを備えたレバー部材と、
該レバー部材の前記位置決めアームと前記第２の部材との間に延びる第１および第２の撓み素子と、
前記レバー部材の前記作動アームに結合されたアクチュエータとを備え、
前記作動アームが、前記支点部材から一方向に延び、前記位置決めアームが、該一方向に直交する方向に延び、
前記第１および第２の撓み素子が、前記位置決めアームの前記支点部材の側とは反対側の端部に取り付けられ、該端部と前記第２の部材との間に延び、
前記アクチュエータが、前記作動アームの前記支点部材の側とは反対側の端部近傍に結合されてなることを特徴とする位置決め装置。
【請求項２】
前記アクチュエータがねじであることを特徴とする請求項１記載の位置決め装置。
【請求項３】
前記アクチュエータが電磁的に励磁されるものであることを特徴とする請求項１記載の位置決め装置。
【請求項４】
前記第１および第２の部材がモノリシックに形成されていることを特徴とする請求項１から３のいずれか１項記載の位置決め装置。
【請求項５】
光学素子マウントにおいて、
第１の部材と、
第２の部材と、
少なくとも第１の位置決め装置、第２の位置決め装置、および第３の位置決め装置であって、各位置決め装置は、前記第１の部材と前記第２の部材との間に相対的な移動を生じさせるように配置され、かつ各々が、
支点部材の周りに枢動可能に前記第１の部材に結合された、作動アームおよび位置決めアームを備えたレバー部材、
該レバー部材の前記位置決めアームと前記第２の部材との間に延びる第１および第２の撓み素子、および
前記レバー部材の前記作動アームに結合されたアクチュエータ、
を有する位置決め装置とを備え、
前記作動アームが、前記支点部材から一方向に延び、前記位置決めアームが、該一方向に直交する方向に延び、
前記第１および第２の撓み素子が、前記位置決めアームの前記支点部材の側とは反対側の端部に取り付けられ、該端部と前記第２の部材との間に延び、
前記アクチュエータが、前記作動アームの前記支点部材の側とは反対側の端部近傍に結合されてなることを特徴とする光学素子マウント。
【請求項６】
前記第１の部材がほぼ円筒状であることを特徴とする請求項５記載の光学素子マウント。
【請求項７】
前記第２の部材がレンズまたはプリズムを備えていることを特徴とする請求項５または６記載の光学素子マウント。
【請求項８】
単一材料ブロックから形成されていることを特徴とする請求項５から７のいずれか１項記載の光学素子マウント。
【請求項９】
前記第２の部材が、反射性素子、光学的受信機、センサ、または光源を備えていることを特徴とする請求項５から８のいずれか１項記載の光学素子マウント。
【請求項１０】
前記第２の部材が、１本の軸線に対してほぼ対称的であることを特徴とする請求項５から９のいずれか１項記載の光学素子マウント。
【発明の詳細な説明】
【関連出願の説明】
【０００１】
本願は、２００８年２月２９日付けで提出された米国仮特許出願第６１／０６７７９１号の合衆国法典第３５巻第１１９条（ｅ）に基づく優先権を主張した出願である。
【技術分野】
【０００２】
本発明は、概略的にはマウンティング部品に関し、特に、光軸に沿った位置決めは許容するが、如何なる軸線に沿った回転動作をも拘束し、かつ光軸と直角方向の平行移動をも拘束する、光学素子のためのマウントに関するものである。
【背景技術】
【０００３】
マイクロエレクトロニック半導体装置およびその他の微小デバイスの製造には、フォトリソグラフィーまたはマイクロリソグラフィー装置が広く用いられている。フォトリソグラフィー装置においては、光学システムが光エネルギーを導いて、シリコンウェーファまたはその他の基板上に形成されている感光層上へパターンを、高解像度をもってかつ精密な位置合わせをもって記録する。微細化技術における絶え間ない改良は、この機能のために用いられる光学システムの性能および正確性に対し益々挑戦的な要求を課している。
【０００４】
マイクロリソグラフィー光学システムは、かなり大きくかつ複雑で、多数の光学素子を収容している。マイクロリソグラフィーに用いられる一般的な「ステッパーレンズ」の構成においては、例えば、「光学素子のための分離されたマウントおよび積み重ねられた環状アセンブリ」と題する特許文献１に記載されているように、積み重ねられた環状レンズ・アセンブリが用いられている。各レンズ素子は、一般にはステンレス鋼からなる円筒状のセル内に正確に取り付けられている。各セルは、研磨された平坦かつ平行な表面を備えて、極めて厳しい公差をもって作製されている。これらのレンズが組み立てられると、順次のセルのそれぞれは、Ｘ方向およびＹ方向に僅かな心出し動作以外は調整不能に、隣接するセルの面上にボルト締めされる。全てのセルが組み立てられると、全てのレンズが試験されて、如何なる望ましくない収差または映像欠陥も発見される。通常は、測定された光学的欠陥を修正するために、１個または複数個の素子が僅かにＺ方向、すなわち軸線方向に移動せしめられる必要があることが確定される以前にレンズが完全に組み立てられる。この修正を行なうために、レンズは取り外され、かつ新しいスペーサが挿入され、その後にレンズが再度組立てられて、全ての芯出し調整が再び注意深く行なわれる。
【０００５】
正しい倍率および焦点を得ることは、デバイスの製作に用いられるフォトリソグラフィー光学装置による精密な層間位置合わせおよび１μｍ未満の解像度を得るために重要である。焦点調整は、直角方向のｘ軸またはｙ軸方向の平行移動は伴わずに、通常はｚ軸である光軸に沿った変位によって可能にされる。例えば、倍率または焦点を正しく調整するためには、光学システムの特定の素子を、光軸に沿った特定の位置に移動させる必要があることが多い。この移動を行なうために、光学システムの他の素子の不慮の動きを最少にするか、または排除することが重要である。
【０００６】
重ね合わされた環状構成において、レンズの軸線方向の調整が必要な場合、例えばスプリングまたは撓み素子を用いて、釣り合いの取れた、またはキネマティックな拘束力を利用する解決法は、高精密度調整に関して静的な解決法よりも有望である。しかしながら、純粋な軸線方向の移動調整を行なうためのこの形式の解決案は、一般に極めて複雑で、多数の相互接続された部品の精密な製作と組立てとを必要とすることが多い、一つの例として、「光学素子保持フレームを備えた光学素子マウント」と題する特許文献２に記載された実施の形態においては、二つの構成要素を相互に調整するための光学マウントが示されている。この特許文献２に記載された機構は、この形式の軸線方向の平行移動を行なうために、複数の撓み素子と複数のヒンジとからなるかなり複雑なネットワークを採用している。
【先行技術文献】
【特許文献】
【０００７】
【特許文献１】米国特許第５,４２８,４８２号公報
【特許文献２】米国特許第６,５３８,８２９号公報
【発明の概要】
【発明が解決しようとする課題】
【０００８】
軸線方向の調整に関する何れの形式の解決法をもってしても、僅かな寄生的作用または構成の非対称性さえも、高解像度フォトリソグラフィーにおけるレンズ調整に要求される動きの純粋性を損なう可能性がある。種々の要素およびそれらの留め具に用いられている材料は、熱膨張係数（ＣＴＥ）の差による熱的作用を最少化するために注意深く仕様を定めなければならない。
【０００９】
全体として、常套的なレンズマウント方法は、フォトリソグラフィーの用途に関するそれらの有用性を制限する、動きの純粋性に悪影響を及ぼす過剰拘束およびその他の問題を生じ易い。光学素子の軸線方向の位置決めに関しては種々の解決法があるが、比較的少ない数の部品を用い、かつマイクロリソグラフィーおよびその他の精密な光学的用途および位置決めに関する光学的アセンブリに用いるために必要な特性レベルを備えた、光軸に沿った個々の光学素子に関する位置調整は許容するが、光軸以外の軸線に沿った回転および移動は禁止する光学的アセンブリに対する必要性が依然として残っている。さらに、モノリシックに製作することができる解決法が提供されれば効果的であろう。
【課題を解決するための手段】
【００１０】
本発明の目的は、レンズの取り付けおよび調整技術を進歩させることにある。この目的を達成するために、本発明は、第１の部材と第２の部材との間に相対的な移動を生じさせるための位置決め装置を提供するもので、この位置決め装置は、支点部材の周り枢動可能に前記第１の部材に結合されかつ作動アームおよび位置決めアームを備えたレバー部材と、このレバー部材の上記位置決めアームと上記第２の部材との間に延びる第１および第２の撓み素子と、上記レバー部材の上記作動アームに結合されたアクチュエータとを備えている。
【００１１】
本発明の特徴は、上記第１および第２の部材間に延びる棒状撓み素子を用いて、上記第１および第２の部材間の機械的拘束のパターンを提供することである。
【００１２】
本発明の一実施の形態の効果は、光軸に沿った位置の精密な調整は許容するが、それ以外の方向の動きを拘束する光学的マウント装置を提供することにある。
【図面の簡単な説明】
【００１３】
【図１】標準座標軸に対する理想的なレンズマウントの全体の機能を示す斜視図である。
【図２Ａ】一つの実施の形態における光学素子アセンブリの斜視図である。
【図２Ｂ】図２Ａ等に示された実施の形態に関する拘束構成を示す斜視図である。
【図３】一つの実施の形態における位置決め装置の上方から見た斜視図である。
【図４】一つの実施の形態における位置決め装置の下方から見た斜視図である。
【図５Ａ】単一軸線に対する位置を調整するのに用いられるレバー素子の動作を示す概略的側面図である。
【図５Ｂ】単一軸線に対する位置を調整するのに用いられるレバー素子の動作を示す概略的側面図である。
【図６】一つの実施の形態におけるモノリシックに構成された光学素子アセンブリの斜視図である。
【図７】一つの光学素子アセンブリの実施の形態に関する複合的位置決め装置の角度分布を示す平面図である。
【図８】モノリシックに形成された位置決め装置の上方から見た拡大斜視図である。
【図９】モノリシックに形成された位置決め装置の下方から見た拡大斜視図である。
【図１０】本発明の位置決め装置を示す、図９のＢ−Ｂ線に沿った断面斜視図である。
【図１１】負荷圧力を用いた別の実施の形態の断面図である。
【発明を実施するための形態】
【００１４】
本発明に関して、「頂部」および「底部」は相対的なものであって、必ずしも表面の方位を示す必要はないが、単純に参照したり、部品または材料ブロックの両面を区別したりするのに用いられる。
【００１５】
ここに示されかつ説明されている図面は、本発明による光学的マウント装置の動作および製造の鍵を示すために提供されたものであり、実際のサイズまたは縮尺を示す目的で描かれたものではない。基本的な構造関係または動作原理を強調するために、或る程度の誇張は必要であろう。
【００１６】
円筒（cylinder）の数学的定義は、見慣れた真円円筒のみでなく、固定された直線に平行な直線を移動させ、この移動する直線が、固定された平坦な閉曲線または底面と交差することによってその外表面が画成される多くの他の形状をも含むことに注目すべきである。本発明の実施の形態に関しては円筒形状が示されているが、レンズマウントの支持部材は非円柱形状を有していてもよい。
【００１７】
動力学の分野においては、基準体に対する剛体の全ての自由度（ＤＯＦ）を拘束するのに６通りの拘束パターンが用いられることが知られている。本発明の装置および方法は、内側素子が外側素子に対して厳格に位置決めされかつ制限された範囲に亘る単一軸線に沿った調整動作は可能にする、少なくとも第１、第２および第３の調整可能な撓み素子を用いた、調製可能な撓み装置および６個の拘束配置を提供するものである。
【００１８】
図１を参照すると、外側部材すなわちフレーム１２内に配置された内側部材すなわち光学素子ホルダ１０が基準となるｘｙｚ軸の表示とともに示されている。ｚ軸は光軸Ｏに対応する。背景技術の欄で説明されているステッパーレンズの焦点合わせ等の多くの用途に関しては、ｚ軸に平行な移動調整のみが望ましい。この形式の用途に関しては、レンズホルダ１０をフレーム１２に連結するマウント機構は、光軸Ｏの方向のみの、すなわちｚ軸の方向のみの平行移動が可能でなければならない。ｘ−ｙ平面内の平行移動、あるいはｘ、ｙ、またはｚ軸周りの回転〈θｘ，θｙまたはθｚ回転〉は阻止しなければならない。本発明の実施の形態は、この拘束を提供するのみでなく、広範な範囲の位置決め制御に用いる調製可能な撓み装置を提供するのに用いることができる。
【００１９】
図１の任意の軸および位置の定義に続く図２Ａから図５Ｂまでは、第１の内側部材を、第２の外側部材に対して軸線方向に調整可能に位置決めするための、本発明の一つの典型的な実施の形態の動作の基本的な原理を示す。図２Ａから図５Ｂまでは、構成要素が直ちに見ることができ、かつより容易に動作を理解することができる位置決め装置を用いた一つの典型的な実施の形態を提供する。それらの図に続く図６以降は、空間的によりコンパクトなモノリシック型の実施の形態の例を示しているが、同一の原理および全体の構成要素を用いている。
【００２０】
図２Ａは、外側部材２４に対する内側部材２２の軸線Ｏ方向の調整を可能にする光学素子アセンブリ２０の一実施の形態の斜視図を示す。この実施の形態は、それぞれがキネマティック拘束構成を有する、第１の位置決め装置３０ａ、第２の位置決め装置３０ｂ、および第３の位置決め装置３０ｃを用いている。図２Ｂの概略図は、外側部材２４の内部に内側部材２２を支持するためのこの構成によって提供される６個の拘束Ｃ１〜Ｃ６のパターンを誇張して示す。これらの拘束は対をなして提供され、拘束Ｃ１は拘束Ｃ２と対をなし、拘束Ｃ３は拘束Ｃ４と対をなし、かつ拘束Ｃ５は拘束Ｃ６と対をなしている。
【００２１】
図３および図４の、それぞれ上方および下方から見た斜視図は、一つの実施の形態における一つの位置決め装置３０の構成を示す。レバー素子３２は、このレバー素子３２に対して支点Ｆを提供する支点部材３８に沿って外側部材２４に枢動可能に結合されている。レバー素子３２は、より詳細に後続の図に示されている位置決めアーム４２および作動アーム４４を有する。突っ張りまたは棒状の撓み素子３４および３６からなる２個の撓み素子は、レバー素子３２の位置決めアーム４２から内側部材２２まで延びている。この実施の形態では調整ねじとして示されているアクチュエータ４０が、レバー素子３２に支点Ｆの周りの回転を生じさせるために、レバー素子３２の駆動アーム４４に機械的に結合されている。支点部材３８は、レバー素子３２が支点Ｆの軸線の周りで枢動するのを許容するが、レバー素子３２が他の自由度を持つことは阻止している。支点部材３８は、材料および幾何学的形状により、レバー素子３２を待機位置に復帰させるねじり力に対する対抗措置をさらに備えていてもよい。
【００２２】
図５Ａおよび図５Ｂの概略的側面図は、支点Ｆの各側に作動アーム４４および位置決めアーム４２を備えたレバー素子３２の一実施の形態を示す。レバー素子３２によって齎される機械的効果は、作動アーム４４が或る距離を超えて過大に移動しても、位置決めアーム４２には、これに比例したより僅かな動きしか生じさせないことを意味する。この機械的効果は、レバー素子３２の駆動が、単一の軸線に関する内側部材２２の精密な位置決めを可能にすることである。位置決めアーム４２は、撓み素子３４および３６（図５Ａおよび図５Ｂの側面図には撓み素子３６が示されていない）に結合されている。図５Ａの原位置が破線によって参照されている図５Ｂに誇張して示されているように、アクチュエータ４０の操作は、支点周りのレバー素子３２にインクリメントな動作を生じさせる。図示の実施の形態においては、アクチュエータ４０を作動アーム４４に向かって内方へ動かすと、レバー素子３２に支点Ｆ周りの反時計方向の回転を生じさせ、撓み素子３４および３６を強制的に下方へ移動させ、かつ図５Ｂに矢印Ａによって示されている方向に沿って内側部材２２を移動させる。
【００２３】
撓み素子３４および３６が適当に薄くかつ可撓性を有する場合には、図５Ｂに誇張して示されているように、それらの湾曲動作が、さもなければ内側部材２２を変形させるかも知れない力の印加を阻止するのに役立つ。
【００２４】
図２Ａの実施の形態における第１、第２および第３の位置決め装置３０ａ、３０ｂ、および３０ｃは、常套的な留め具および適当なサイズのレバー、サスペンション、および撓み素子から製作されることができる。しかしながら、機械的組立て技術分野の当業者にはよく知られているように、累積された許容誤差が、このような実施の形態に伴うより小さい尺度での位置決め装置３０の実施を困難にする。これに加えて、位置決め装置３０の部品に対して種々の材料が用いられている場合、このような材料間のＣＴＥ（熱膨張係数）の差が、温度が変化したときに或る種の困難の原因となる。
【００２５】
図６以下に示された実施の形態は、図２Ａおよび図２Ｂを参照して説明されたものと同じ動作原理を利用しているが、よりコンパクトなモノリシック構成を有する光学素子アセンブリ２０を提供する。下記に詳細に説明されているように、単一材料から形成され、かつ自働工具を用いて加工された場合、位置決め装置３０および光学素子アセンブリは、ＣＴＥの差に関連する問題を伴わない精密な公差をもって製作することができ、かつモノリシックに製作することによる種々の他の利点を有する。モノリシックに製作することの一つの態様から、光学素子アセンブリ２０の形成は、一つの材料ブロック中に１個または複数のキャビティまたはチャンネル４６のパターンを形成することが考えられ、その場合、チャンネル４６は外側部材２４内に内側部材２２を画成する。モノリシックに製作することは、下記に詳細に説明されているように、機械加工によって行なわれる引き算、または堆積を利用して行なわれる足し算である。
【００２６】
図７の平面図は、モノリシックに製作された実施の形態における第１、第２および第３の位置決め装置３０ａ，３０ｂおよび３０ｃの配置を示す。組立てられた実施の形態およびモノリシックな実施の形態の双方において、図７に示されている等角配置は、機械分野の当業者に認識されているように、管理された軸方向の位置決めを齎す。一つの位置決め装置３０ａ，３０ｂまたは３０ｃから隣の位置決め装置までの中心角φは１２０度である。
【００２７】
図８および図９の上方および下方から見た斜視図は、モノリシックに形成された場合の位置決め装置３０の拡大図を示す。図１０は、アクチュエータ４０が見えるように描いた図９のＢ−Ｂ線に沿った断面斜視図である。この実施の形態においては、位置決め装置３０が、図２Ａ，図３および図４に示された実施の形態におけるよりもコンパクトにパッケージされているが、同じ基本的手段、および撓み素子ならびに原理を用いている。上方および下方は、相対的なものであって、位置決め装置３０および光学素子アセンブリ２０に要求される特定の方位を意味するものでないことが再び注目されるべきである。
【００２８】
レバー素子３２をアクチュエータ４０に対して位置決めするために、随意的なばね力が加えられていてもよい。図１１は、アクチュエータ４０の長さ方向に取った、図１０のＣ−Ｃ線に沿った直角断面図である。本図は、外側部材２４内の横断孔１８を通って延び、かつレバー素子３２の雌ねじを切った孔１８に着座された段付きねじ４８を有する別の実施の形態である。圧縮スプリング１６は、予めレバー素子３２を引き戻す負荷圧力を与えて、作動アーム４４とアクチュエータ４０との間の接触を確実にしている。ここに示されているアクチュエータ４０は、ねじ溝付き孔２６に螺合されている調整ねじとして示されている。
【００２９】
図７〜図１０のモノリシック構造においては、支点部材３８が、Ｌ字型断面形状を有するものとして示されているが、これに代わり、機械的強度および製作容易性を高めるために、十字型またはＴ字型の断面形状を用いることもできる。
【００３０】
図２Ａ、および図６から図１１に示された実施の形態は、背景技術の欄において説明されているようなマイクロリソグラフィー装置を含む多くの用途の何れにおける光学素子の位置決めに用いることができる。光学素子は一般的に、位置決め装置３０によるｚ軸に沿った移動調整のために内側部材２２に固定される。しかしながら、これの代わりに、光学素子が内側部材２２上、または外側部材２４内に取り付けられることもでき、これらの配置の何れに対しても、位置決め装置３０の実施の形態を用いることができることに注目すべきである。レンズに加えて、種々の形式の屈折素子、反射素子、プリズム、偏光リターダンス素子、フィルム、光変調器、受光器、センサ、光源またはその他の信号源、またはその他の光学素子を含むその他のデバイスの位置を制御する光学素子アセンブリ２０の実施の形態に位置決め装置３０を用いることができる。他の選択肢として、内側部材２２または外側部材２４は、例えば反射被膜を被着させることによって、光学素子自体の役目を果たすことができる。ここで説明されている実施の形態においては、円筒状でかつ光軸に関して対称的であるが、内側および外側部材２２，２４は如何なる適当な形状を採ることもでき、かつ必ずしも光軸に対して対称的でなくてもよい。
【００３１】
作動アーム４４に結合されているアクチュエータ４０（図３、図５Ａ、図５Ｂ、図１０および図１１）は、調整ねじを含むマニュアル調整のための多くの手段の何れであってもよい。調整ねじとしてのアクチュエータ４０は、マニュアル的に調整されて、更なる調整が必要になるまで、与えられた位置を保つことができる。これに代わり、アクチュエータ４０は、例えばモータまたは圧電素子を用いる等の電気的に駆動され、または磁気的、熱的に駆動され、または流体の力またはガス圧力等の他の駆動源を用いて駆動されることができる。モノリシックな位置決め装置３０または光学素子アセンブリ２０の実施の形態に関しては、アクチュエータ４０は、それ自体がモノリシックに構成された構造以外に、付加されたハードウェアからなる１個または複数個の別個の部材を備えていてもよい。例えば、図１１を参照して説明されたように、ねじ溝を備えた挿入部材が調整ねじのために設けられていてもよい。
【００３２】
モノリシック加工
引き算的または足し算的なモノリシック加工技法を用いることができる。引き算的技法は、単一の材料ブロックにキャビティまたはチャンネルを形成することによってデバイスを形成する。足し算的技法は、そのデバイスの個々の部品を画成するキャビティまたはチャンネルとともに、材料を一つのパターンに堆積させて、単一部材を形成する。単一部材構造は、前述のように、熱膨張係数（ＣＴＥ）の差および留め具の製作および組付けに起因する諸問題を排除する利点を有する。全体的に見れば、単一部材に加工されたレンズマウント・アセンブリは、他の形式のレンズマウントよりも機械的応力が小さい。単一部材は、光学アセンブリを構成するための取扱い、組立ておよび取付けが簡単である。モノリシックに形成された光学的マウントは、その内部の構成部品がビルトイン式に配置される。
【００３３】
外側部材の内部に懸架された内側部材を加工することによって単一材料ブロックから光学素子マウントを形成することは、構造上の利点を有し、かつ融通性に富んだ設計を可能にする。内側部材は、光軸に沿った位置に光学素子を保持するために適した構成とすることができるが、外側部材は、光学的アセンブリを内部に取り付けるのに適した寸法を有することができる。
【００３４】
コンピュータ化された数値制御（ＣＮＣ）によって可能になった加工技術を用いると、単一部材構造を提供するための極めて正確かつ再現性のある加工を行なうことが可能である。ＥＤＭ加工（放電加工）は、金属およびその他の硬い導電性材料からの複雑な部品の精密なモノリシックな製作に用いることができる。簡潔に言えば、ＥＤＭは、電極と取り除かれるべき材料との間のギャップを横切る放電を用いて、導電性物質からなる被加工物から材料を選択的に侵蝕するものである。誘電性流体が電極の周囲のギャップ領域に間断なく流れ、かつ取り除かれた材料を流し出す。連続的に移動するワイヤを電極として用いるワイヤＥＤＭは、ＥＤＭの一つの形態である。モノリシックな部品を製作するのに適した他の技法は、常套的な機械加工、レーザー加工、種々のエッチング加工、ウォータージェット、ならびに剛体ブロックから材料を取り除き、規定された寸法のキャビティまたはチャンネルを形成および整形し、それらの全体的な輪郭および深さを制御する一般的な加工技法を含む。
【００３５】
或る種の材料を用いれば、光学素子アセンブリ２０は成形された部材とすることができ、または例えば材料の堆積を含む足し算法によって形成することができる。多くの試作品急速製作技法の何れかをモノリシック構造を提供するために用いることも可能であろう。光学素子アセンブリ２０の製作に採用可能な試作品急速製作方法の例は、選択的レーザー焼結（ＳＬＣ）、立体リソグラフィー、および足し算法により剛体構造を製作する多くの他の技法を含む。これらの技法は、光学素子アセンブリ２０の内側部材２０を外側部材の内部に形成するパターンに単一材料を堆積させる。
【００３６】
モノリシックな光学素子アセンブリ２０に用いられる材料は、ステンレス鋼、アルミニウム、またはその他の金属、または、プラスチック等の種々の形式のポリマー、セラミック、または必要な可撓性を有することが可能なその他の材料を含む、用途および製作方法の形式に適応する如何なる材料であってもよい。ＥＤＭを使用するばあいには、導電性材料が必要である。
【００３７】
光学素子アセンブリ２０はまた、フォトリソグラフィー以外の用途における拘束構成においてその拘束構成を提供するための利点を有する。モノリシック構造として形成されることが可能な故に、本発明のキネマティック機構は、従来のレンズ取付け装置に必要な膨大な量の組立ておよび調整を排除して精密に製作することができる。
【００３８】
位置決め装置３０は、図２Ａおよび図６における光学素子アセンブリ２０の実施の形態に関して説明されたような、軸線方向の移動調整を可能にする効果を有する。より一般的な用途において、位置決め装置３０は、この相対移動が第１および第２の部材の双方に共通の軸線に沿った移動であるかないかに拘わらず、第２の部材に対して位置決めを行なうために第１の部材の移動を制御することが望ましい多くの構成の何れにも採用可能である。例えば、位置決め装置３０は、第１および第２の部材間の相対位置を制御するための一つまたは二つの位置を提供することができる。光学装置または光学機器においては、例えば単一の位置決め装置３０であっても、単一の光路に対する光学素子またはセンサの傾きを補償するのには役立てることが可能であろう。
【００３９】
以上、主として垂直方向の動きを制御することに関して位置決め装置３０が示されかつ説明されて来た。しかしながら、本発明の位置決め装置３０または光学素子アセンブリ２０は、垂直、水平またはそれ以外の方位を問わない。
【００４０】
これまでは、好ましいいくつかの特定の実施の形態について本発明が説明されてきたが、本発明の範囲から離れることなしに、上述の、かつ添付の請求項に記載された本発明の範囲内で当業者により変形および変更が行なわれることが可能なことが理解されるであろう。例えば、本発明の装置はフォトリソグラフィーの用途に好適であるが、このマウントは、ｚ軸方向のインクリメントな調整動作のみが許容されるその他の多くの用途の何れにも用いることができる。
【００４１】
したがって、提供されるのは、光軸に沿った調整は許容するが、何れの軸周りの回転動作を拘束し、かつ光軸に対して直角方向の平行移動を拘束する、光学素子のためのキネマティック光学マウントである。
【符号の説明】
【００４２】
１０  光学素子ホルダ
１２  フレーム
１６  圧縮スプリング
２０  光学素子アセンブリ
２２  内側部材
２４  外側部材
３０，３０ａ，３０ｂ，３０ｃ  位置決め装置
３２  レバー素子
３４，３６  撓み素子
３８  支点部材
４０  アクチュエータ
４２  位置決めアーム
４４  作動アーム
４８  段付きねじ
【図１】
0005588358.tif 000002
【図２Ａ】
0005588358.tif 000003
【図２Ｂ】
0005588358.tif 000004
【図３】
0005588358.tif 000005
【図４】
0005588358.tif 000006
【図５Ａ】
0005588358.tif 000007
【図５Ｂ】
0005588358.tif 000008
【図６】
0005588358.tif 000009
【図７】
0005588358.tif 000010
【図８】
0005588358.tif 000011
【図９】
0005588358.tif 000012
【図１０】
0005588358.tif 000013
【図１１】
0005588358.tif 000014